(57)【特許請求の範囲】
【請求項１】
OTN(Optical  Transport  Network)のような同期網のない網において、複数の伝送路を伝送されてきた信号のどちらかを選択して出力する無瞬断切替装置であって、
受信側に、
前記送信側の分岐手段で複数の伝送路に分岐された複数のOTN(Optical  Transport  Network)信号を、それぞれクロック再生及び該OTN信号の識別を行う複数のクロック再生・データ識別手段と、
再生された伝送クロックを用いて、クロック再生・データ識別手段から出力されたそれぞれのOTN信号を書き込むための複数のバッファと、
前記バッファから伝送されてきたOTN信号を読み出すための読み出しクロック及び共通クロックを生成するクロック生成手段と、
前記読み出しクロックを用いて前記バッファから読み出されたOTN信号のフレームの境界を認識する複数のフレーム検出手段と、
前記フレーム検出手段により検出されたフレームの遅延差を動的に調整する遅延差調整手段と、
前記共通クロックを用いて前記フレーム検出手段から出力された複数の信号を切り替える選択手段と、
を有し、
前記クロック生成手段は、
入力された複数のクロックのいずれかを選択して出力する複数のクロックスイッチ手段と、
前記クロックスイッチ手段からの入力信号を外部からのクロック制御情報に基づいて、ＩＴＵ−Ｔ勧告Ｇ７０９で規定されるクロック偏差内でクロック周波数を連続的に、もしくは、クライアント信号に影響を与えない範囲で離散的に変化させることによりクロック周波数を制御するクロック制御・位相同期手段と、
を含むことを特徴とする無瞬断切替装置。
【請求項２】
OTN(Optical  Transport  Network)のような同期網のない網において、複数の伝送路を伝送されてきた信号のどちらかを選択して出力する無瞬断切替方法であって、
受信側に、
複数のクロック再生・データ識別手段と、
複数のバッファと、
クロック生成手段と、
複数のフレーム検出手段と、
遅延差調整手段と、
選択手段と、
を有する無瞬断切替装置において、
前記複数のクロック再生・データ識別手段が、それぞれ、前記送信側の分岐手段で複数の伝送路に分岐された複数のOTN(Optical  Transport  Network)信号を、それぞれクロック再生及び該OTN信号の識別を行うクロック再生・データ識別ステップと、
前記複数のバッファに、再生された伝送クロックを用いて、クロック再生・データ識別手段から出力されたそれぞれのOTN信号を書き込む書き込みステップと、
前記クロック生成手段が、前記バッファから伝送されてきたOTN信号を読み出すための読み出しクロック及び共通クロックを生成するクロック生成ステップと、
前記フレーム検出手段が、前記読み出しクロックを用いて、それぞれ前記バッファから読み出した信号のフレームの境界を認識するフレーム検出ステップと、
前記遅延差調整手段が、前記フレームの遅延差を動的に調整する遅延差調整ステップと、
前記選択手段が、前記共通クロックを用いて読み出された複数の信号を切り替える選択ステップと、
を行い、
前記クロック生成ステップにおいて、
複数のクロックスイッチが、入力された複数のクロックのいずれかを選択して出力し、
ＩＴＵ−Ｔ勧告Ｇ７０９で規定されるクロック偏差内でクロック周波数を連続的に、もしくは、クライアント信号に影響を与えない範囲で離散的に変化させることによりクロック周波数を制御する
ことを特徴とする無瞬断切替方法。
【発明の詳細な説明】
【技術分野】
【０００１】
本発明は、無瞬断切替装置及び方法に係り、特に、OTN(Optical Transport Network)のような同期網のない網において無瞬断切替を行うための無瞬断切替装置及び方法に関する。
【背景技術】
【０００２】
光伝送システムにおいて、レイヤ１伝送装置の信頼性を高める技術として電気パスの無瞬断切替技術がある。無瞬断切替技術とは、送信側で信号を分岐して複数の経路において同一の信号を伝送して受信側で複数の経路を伝達されてきた信号の遅延差を調整した後にセレクタによって1ビットの欠落もなく切り替えることにより、故障切替や計画切替を行なうことで信号を断絶することなく経路を切り替える技術である（例えば、特許文献１、非特許文献1参照）。
【先行技術文献】
【特許文献】
【０００３】
【特許文献１】特開2007-228282号公報
【非特許文献】
【０００４】
【非特許文献１】川瀬他「SDH網における無瞬断フレーム切換方式の検討」，電子情報通信学会論文誌 B-I，vol. J78-B-I, no. 12, pp. 764-772, 1995年12月．
【発明の概要】
【発明が解決しようとする課題】
【０００５】
これまでの無瞬断切替技術は、信号としてSDH（Synchronous Digital Hierarchy）を用いることを前提としたものになっている。SDHの特徴としては同期網、すなわちすべての電話局内には共通の局内クロックが用意されているという点がある。局内クロックは無瞬断切替を行おうとしている伝送装置とは別の装置で構成されたクロックパス網において別途伝達されすべての電話局に分配されているものである。
【０００６】
図１３は、従来の共通クロックを用いた無瞬断切替装置の例を示す。
【０００７】
送信側の分岐部１０で２つに分岐された信号は伝送路１と伝送路２を介して受信側の装置まで伝送される。伝送された信号は光電変換（図示せず）された後にCDR（Clock and Data Recovery）部２１１，２１２でクロック再生とデータの識別が行われる。CDR部２１１，２１２で再生されたクロックを局内クロックと区別するためにここでは「伝送路クロック」と呼ぶことにする。識別されたデータは受信したクロックから局内クロックへと乗せ替えが行われる。具体的には２ポートFIFO２２１，２２２などを用いたバッファに伝送路クロックを用いてデータが書き込まれた後に、当該データは局内クロックを用いて読み出される。送信側においてもすべての電話局で共通の局内クロックを用いて伝送信号が生成されているため、伝送路クロックと局内クロックは平均的には同一の周波数を持っている。
【０００８】
両者の相違点は、伝送路クロックは光ファイバなどを伝送される中でその温度変化などによるわずかな遅延の変動や周波数の変動を持っていることである。これらはワンダと呼ばれる。信号が異なる経路を伝送されるとそれぞれ異なるワンダの影響を受けるが、伝送路１と伝送路２を伝送されてきた信号それぞれがバッファ２２１，２２２を用いて各々の伝送路クロックから共通の局内クロックへと乗せかえられることによりワンダの影響を吸収し、バッファ２２１，２２２の後段では同一クロックで動作している２系統の信号を得ることができる。バッファ後段２２１，２２２のフレーム検出部２３１，２３２や選択部２５はすべて単一の局内クロックで動作しているため、故障切替時や計画切替時には１ビットも欠落させることなく選択部２５によって切り替えることが可能となっている。
【０００９】
一方で近年OTN（Optical Transport Network）と呼ばれる規格が伝送装置で用いられている。OTNはITU-Tで規定される光伝達網の国際標準である。OTNはSDH(Synchronous Digital Hierarchy)と異なり局内クロックを持っていない。よってOTNを用いた伝送装置では上述した無瞬断切替方式をそのまま適用することができない。
【００１０】
また、従来技術では電気パス設定時に複数経路間の遅延差を調整して無瞬断切替が可能な状態にした後にサービスを提供することが想定されており、運用中に遅延を動的に調整することが考えられていない。
【００１１】
本発明は、上記の点に鑑みなされたもので、局内クロックなど共通のクロックを持たないOTN伝送装置において無瞬断切替を可能とし、また動的に遅延を調整してサービス提供中の無瞬断切替を可能にする無瞬断切替装置及び方法を提供することを目的とする。
【課題を解決するための手段】
【００１５】
上記の課題を解決するため、本発明（請求項１）は、OTN(Optical  Transport  Network)のような同期網のない網において、複数の伝送路を伝送されてきた信号のどちらかを選択して出力する無瞬断切替装置であって、
受信側に、
前記送信側の分岐手段で複数の伝送路に分岐された複数のOTN信号を、それぞれクロック再生及び該OTN信号の識別を行う複数のクロック再生・データ識別手段と、
再生された伝送クロックを用いて、クロック再生・データ識別手段から出力されたそれぞれのOTN信号を書き込むための複数のバッファと、
前記バッファから伝送されてきたOTN信号を読み出すための読み出しクロック及び共通クロックを生成するクロック生成手段と、
前記読み出しクロックを用いて前記バッファから読み出されたOTN信号のフレームの境界を認識する複数のフレーム検出手段と、
前記フレーム検出手段により検出されたフレームの遅延差を動的に調整する遅延差調整手段と、
前記共通クロックを用いて前記フレーム検出手段から出力された複数の信号を切り替える選択手段と、
を有し、
前記クロック生成手段は、
入力された複数のクロックのいずれかを選択して出力する複数のクロックスイッチ手段と、
前記クロックスイッチ手段からの入力信号を外部からのクロック制御情報に基づいて、ＩＴＵ−Ｔ勧告Ｇ７０９で規定されるクロック偏差内でクロック周波数を連続的に、もしくは、クライアント信号に影響を与えない範囲で離散的に変化させることによりクロック周波数を制御するクロック制御・位相同期手段と、
を含む。
【００２０】
また、本発明（請求項２）は、OTN(Optical  Transport  Network)のような同期網のない網において、複数の伝送路を伝送されてきた信号のどちらかを選択して出力する無瞬断切替方法であって、
受信側に、
複数のクロック再生・データ識別手段と、
複数のバッファと、
クロック生成手段と、
複数のフレーム検出手段と、
遅延差調整手段と、
選択手段と、
を有する無瞬断切替装置において、
前記複数のクロック再生・データ識別手段が、それぞれ、前記送信側の分岐手段で複数の伝送路に分岐された複数のOTN信号を、それぞれクロック再生及び該OTN信号の識別を行うクロック再生・データ識別ステップと、
前記複数のバッファに、再生された伝送クロックを用いて、クロック再生・データ識別手段から出力されたそれぞれのOTN信号を書き込む書き込みステップと、
前記クロック生成手段が、前記バッファから伝送されてきたOTN信号を読み出すための読み出しクロック及び共通クロックを生成するクロック生成ステップと、
前記フレーム検出手段が、前記読み出しクロックを用いて、それぞれ前記バッファから読み出した信号のフレームの境界を認識するフレーム検出ステップと、
前記遅延差調整手段が、前記フレームの遅延差を動的に調整する遅延差調整ステップと、
前記選択手段が、前記共通クロックを用いて読み出された複数の信号を切り替える選択ステップと、
を行い、
前記クロック生成ステップにおいて、
複数のクロックスイッチが、入力された複数のクロックのいずれかを選択して出力し、
選択されたクロックを外部からのクロック制御情報に基づいて、ＩＴＵ−Ｔ勧告Ｇ７０９で規定されるクロック偏差内でクロック周波数を連続的に、もしくは、クライアント信号に影響を与えない範囲で離散的に変化させることによりクロック周波数を制御する。
【発明の効果】
【００２２】
上記のように本発明によれば、複数の経路を介して伝送されてきた信号から再生された伝送路クロックを用いて共通のクロックを生成し、その共通のクロックを用いることで無瞬断切替を可能とする。故障切替時には一方のクロックが断絶するので、そのときには断絶したクロックからもう一方の正常なクロックへと位相や周波数の不連続なく移行することを可能にする。
【図面の簡単な説明】
【００２３】
【図１】本発明の第１の実施の形態における無瞬断切替装置の構成例である。
【図２】本発明の第１の実施の形態における共通クロック生成部の構成図である。
【図３】本発明の第１の実施の形態における共通クロック生成部の出力例である。
【図４】本発明の第２の実施の形態における無瞬断切替装置の構成例である。
【図５】本発明の第３の実施の形態における無瞬断切替装置の構成例である。
【図６】本発明の第３の実施の形態におけるクロック生成部の構成例である。
【図７】本発明の第３の実施の形態における遅延調整の一例である。
【図８】本発明の第３の実施の形態における動的遅延制御方式の動作モードである。
【図９】本発明の第３の実施の形態における動的遅延調整のフローチャートである。
【図１０】本発明の第３の実施の形態におけるクロック出力の経時変化を示す図である。
【図１１】本発明の第４の実施の形態における無瞬断切替装置の構成例である。
【図１２】本発明の第４の実施の形態におけるクロック生成部の構成例である。
【図１３】従来技術の共通クロックを用いた無瞬断切替装置の例である。
【発明を実施するための形態】
【００２４】
以下図面と共に、本発明の実施の形態を説明する。
【００２５】
［第１の実施の形態］
図１は、本発明の第１の実施の形態における無瞬断切替装置の構成例を示す。
【００２６】
同図において、図１２と同一構成部分には同一符号を付し、その説明を省略する。
【００２７】
図１に示す無瞬断切替装置は、図１２の構成に共通クロック生成部３０を設け、共通クロック生成部３０で共通クロックを生成し、ワンダはFIFO２２１，２２２で吸収するものである。共通クロック生成部３０は、CDR部２１１，２１２で再生された複数の伝送路クロックから共通クロックを生成する。
【００２８】
伝送された信号は伝送路クロックでバッファ２２１，２２２に書き込まれ、共通クロック２６でバッファ２２１，２２２から読み出されることにより、２系統の信号のクロックの共通化が図られる。バッファ２２１，２２２より後段のフレーム検出部２３１，２３２や選択部２５は共通クロックで動作しているため、２系統の信号の遅延差をバッファ２２１，２２２を用いて調整した後には無瞬断で信号を切り替えることが可能となる。
【００２９】
図２は、本発明の第1の実施の形態における共通クロック生成部の構成例を示す。
【００３０】
共通クロック生成部３０は、クロックスイッチ部３１と位相同期ループ部３２から構成される。クロックスイッチ部３１には伝送路クロックであるクロック１とクロック２が入力される。クロックスイッチ部３１はクロック１かクロック２のどちらかを選択し出力する。出力された信号は位相同期ループ部３２に入力される。
【００３１】
図３は、本発明の第1の実施の形態における共通クロック生成部の出力を示す。
【００３２】
同図（ａ）は、共通クロック生成部３０に２系統のクロックが入力されていてクロック１を選択しているときを示している。共通クロック出力はクロック１に追随するものとなる。
【００３３】
反対に同図（ｂ）は、共通クロック生成部３０に２系統のクロックが入力されていて、クロック２を選択しているときを示している。この場合、共通クロック出力はクロック２に追随したものとなる。
【００３４】
同図（ｃ）は、共通クロック生成部３０に２系統のクロックが入力されていて、時刻Ｔ０において選択しているクロックをクロック１からクロック２に切り替えたときの様子を示している。時刻Ｔ０までは共通クロック出力はクロック１に追随するが、時刻Ｔ０に位相同期ループ部への入力がクロック１からクロック２へと瞬時に（ないしは短い断絶時間を伴って）切り替わるが、位相同期ループ部が持つ時定数に従って共通クロック出力はクロック１からクロック２へと徐々に移行することになる。時刻Ｔ１では共通クロック出力は完全にクロック２へ追随することとなる。図示はしていないが、クロック２からクロック１へ切り替えた場合も同様な動作をする。
【００３５】
同図（ｄ）は、共通クロック生成部３０に２系統のクロックを入力していて時刻Ｔ２において選択しているクロック１が断絶した場合を示している。時刻Ｔ２において選択しているクロック１が断絶したことをクロックスイッチ部３１が検知し（もしくは前段に位置するブロックから断絶したことを通知され）、クロックスイッチ部３１のクロック選択を強制的にクロック１からクロック２へと切り替える。それに伴い、位相同期ループ部３２の入力が切り替わるため共通クロック出力は、位相同期ループ部３２が持つ時定数に従って共通クロック出力はクロック１からクロック２へと徐々に移行することになる。時刻Ｔ３では共通クロック出力は完全にクロック２へ追随することとなる。
【００３６】
［第２の実施の形態］
図４は、本発明の第２の実施の形態における無瞬断切替装置の構成例を示す。同図において、図１と同一構成部分には同一符号を付し、その説明を省略する。本実施の形態では、共通クロック生成部４０でクロックを生成し、ワンダは選択部２５で吸収するものである。
【００３７】
本実施の形態では、共通クロック生成部４０を備えていることは第１の実施の形態と同一であるが、異なる点はバッファ（FIFO）２２１，２２２の読み出しクロックがそれぞれの伝送路クロックを用いている点である。選択部２５が共通クロックで動作しており伝送路クロックから共通クロックへの乗せ替えは選択部２５で行われる。
【００３８】
共通クロック生成部４０の構成例としては、第１の実施の形態で示したものを使用できる。
【００３９】
［第３の実施の形態］
本実施の形態では、動的な遅延調整を行う無瞬断切替装置について説明する。
【００４０】
図５は、本発明の第３の実施の形態における無瞬断切替装置の構成例を示す。同図において、図１と同一構成部分には同一符号を付し、その説明を省略する。
【００４１】
本実施の形態における無瞬断切替装置は、動的な遅延調整をできる構成が特徴であり、そのためにクロック生成部５０が設けられている。本実施の形態では、クロック生成部５０でクロックを生成し、ワンダはバッファ（FIFO）２２１，２２２で吸収するものである。
【００４２】
クロック生成部５０は伝送路クロックであるクロック１とクロック２が入力され、読み出しクロック１と読み出しクロック２と共通クロックを出力する。読み出しクロック１は伝送路１を伝送されてきた信号をバッファ（FIFO）２２１から読み出す際に用いられる。読み出しクロック２は伝送路２を伝送されてきた信号をバッファ（FIFO）２２２から読み出す際に用いられる。共通クロックは選択部２５の動作に使用される。
【００４３】
図６は、本発明の第３の実施の形態におけるクロック生成部の構成例を示す。
【００４４】
クロック生成部５０は、スイッチ５１１，５１２，２つのクロック制御／PLL（位相同期）部５２１，５２２，クロック選択部５３，PLL部５４から構成される。
【００４５】
各伝送路を伝送された信号はそれぞれCDR部２１１，２１２にてクロック再生と識別が行われる。各信号は伝送路クロックであるクロック１とクロック２でそれぞれバッファ（FIFO）２２１，２２２に書き込まれる。クロック１とクロック２はそれぞれ分岐されスイッチ５１１とスイッチ５１２に入力される。スイッチ５１１とスイッチ５１２はそれぞれクロック１かクロック２を選択して出力する。出力されたクロックはクロック制御／PLL部５２１，５２２に入力され、遅延調整する際にはクロック周波数が制御されて出力される。
【００４６】
また、スイッチ５１１もしくはスイッチ５１２でクロックが切り替えられた場合に位相や周波数の飛びなく一方のクロックから他方のクロックへと移行することができる。クロック制御／PLL部５２１，５２２の出力はバッファの読み出しクロックとして用いられる。また、クロック制御／PLL部５２１，５２２の出力はクロック選択部５３へも入力される。クロック選択部５３は入力されたクロックのどちらかを選択し、PLL部５４に入力する。
【００４７】
クロック選択部５３の後段にはPLL部５４が設けられており、クロック選択部５３で選択されたクロックが入力される。PLL部５４はクロック選択部５３がクロックの選択を切り替えた場合に位相や周波数の飛びなく一方のクロックから他方のクロックへと移行させることができる。
【００４８】
ここで動的遅延調整について説明する。
【００４９】
図７は、本発明の第３の実施の形態における遅延調整部（クロック制御／PLL部）の構成例を示す。
【００５０】
図７において、インタフェースは図６のCDR部２１に対応し、FIFOは図6のFIFO22に対応し、クロック調整部は図６のCLK制御/PLL部５２に対応する。インタフェース（IF）部２１において入力信号のクロックが再生される。信号はFIFO２２に入力され、再生されたクロックはFIFO２２の書き込みクロックとして用いられると共にクロック調整部５２に入力される。クロック調整部５２は外部からの遅延制御情報に基づいてクロックの周波数を変化させる。
【００５１】
例えば、図７（ａ）に示すようにクロック周波数を意図的にある時間の範囲において1 ppm低下させると、FIFO２２の読み出しクロックが書き込みクロックよりも遅いので遅延時間が増加する。また、図７（ｂ）に示すようにクロック周波数を意図的にある時間の範囲において1 ppm増加させると、FIFO２２の読み出しクロックが書き込みクロックよりも早いので遅延時間が減少する。クロック周波数の変化は、周波数を連続的に、もしくは、クライアント信号に影響を与えない範囲で離散的に変化させる。またクロックの周波数は勧告G.709で規定されるODUのクロック偏差内に収まるようにする。また、クロックを意図的に変化させることでFIFO２２のオーバーフローやアンダーフローが起きないようにする。意図的なクロック周波数の変化量はクライアント信号に影響を与えない範囲で任意の値を取ることができる。変化量を大きくするとより早く所望の遅延時間に設定することができる。
【００５２】
次に動的遅延制御による無瞬断切替方式の動作について説明する。図８に示すように当該方式の動作には４つのフェーズが考えられる。横軸に時刻、縦軸に２系統の信号間の遅延差を示している。
【００５３】
・「信号未受信」状態：  時刻Ｔ０までの時間。２系統の信号が未受信もしくは１系統のみ受信している状態；
・「遅延差未調整」状態：  時刻Ｔ０から時刻Ｔ１までの時間。２系統の信号を受信していて遅延差が調整されていない状態；
・「遅延差調整中」状態：  時刻Ｔ１から時刻Ｔ２までの時間。２系統の信号を受信していて遅延差を調整している最中の状態；
・「遅延差調整完了」状態：  時刻Ｔ２以降。２系統の信号を受信していて遅延差の調整が完了している状態；
遅延差調整完了状態において、ファイバ断などの故障をトリガとした故障切替や工事による信号断を事前に防ぐために信号を別経路に退避させる計画切替などをビット欠落なく無瞬断で切り替えることができる。
【００５４】
図９は、本発明の第３の実施の形態における動的遅延調整のフローチャートである。
【００５５】
遅延調整部５２は、２系統の信号を受信すると（ステップ１０１，Ｙｅｓ）、遅延差を検出し（ステップ１０２）、その遅延差を調整する（ステップ１０３）。遅延差調整により2系統の信号の遅延差が０になるまで上記のステップ１０２の処理を繰り返し（ステップ１０４，Ｎｏ）、遅延差が０になったら（ステップ１０４，Ｙｅｓ）、遅延差調整が完了したものとして（ステップ１０５）、運用者の指示もしくは信号断を検知して切り替える（ステップ１０６）。
【００５６】
図１０に各段階におけるクロック周波数の変化を模式的に示す。図６に示す無瞬断切替装置に２系統の信号（以降，第一系統の信号，第二系統の信号と呼ぶ）が入力されている状態で第一系統の信号が断絶し無瞬断で第二系統の信号に切り替わる例を説明する。なお、図示する例では第一系統の信号の伝送経路が第二系統の信号の伝送経路よりも短いものとする。図１０ではｂがクロック１の周波数、ｃがクロック２の周波数、ａが共通クロックの周波数を示している。また図６のCLK制御／PLL部５２が動作中の場合にはそのクロック周波数も示している。
【００５７】
図１０に示す「信号未受信」状態（〜時刻T0）においては第一系統の信号のみを受信している状態を示している。そのため共通クロック（図１０（ａ））はクロック１(図１０（ｂ）)に追随している。この状態は、図６のSW５１１がクロック１を選択し、CLK_SEL５３もクロック１側を選択することで実現される。
【００５８】
図１０に示す「遅延差未調整」状態（時刻T0からT1）では第二系統の信号が受信されるようになり２系統の伝送路クロックが存在する状態である。共通クロック(図１０（ａ）)は引き続きクロック１(図１０（ｂ）)に追随している。クロック２（図１０（ｃ））は第二系統の信号が伝送されてきた伝送路のワンダの影響を受けているためクロック１と異なるものとなる。但し、もともとは同一周波数のクロックであるので平均の周波数は同一である。図６のSW５１２はクロック２を選択している。
【００５９】
図１０に示す「遅延差調整中」状態（時刻T1からT2）においては、第一系統の信号が第二系統の信号より遅延時間が短いことを両系統のフレーム検出部でのフレーム検出結果から判断して、第一系統の信号の遅延時間をFIFOの使用量を増加させることで調整している。図６のCLK制御／PLL部５２１には伝送路クロックであるクロック１（図１０（ｂ））が入力され、周波数制御されたクロック１（図１０（ｄ））が出力される。クロック１（図１０（ｂ））はFIFOの書き込みクロックに、周波数制御されたクロック１（図１０（ｄ））はFIFOの読み出しクロックに使用される。図１０の場合、周波数制御されたクロック１（図１０（ｄ））の周波数が意図的に低くされているので、FIFO使用量が徐々に増加することとなる．第一系統の信号と第二系統の信号の遅延差が０になると周波数制御を終了する（時刻T２）。なお周波数制御中の共通クロック出力は、第一系統の信号が現用系として使用されているので周波数制御中のクロック１に追随することとなる（図１０（ｅ））。つまり図６のCLK_SEL５３はクロック１側を選択している。
【００６０】
図１０に示す「遅延差調整完了」状態（時刻T2からT3）においてはFIFOの読み出しクロックの共通化を図る。図６に示す読み出しクロック２は時刻T2の段階では伝送路クロック２を用いているが、これを図６のSW５１２をクロック１に切り替えることで読み出しクロック２をクロック１に追随させるようにする（図１０（ｆ））。CLK制御／PLL部５２２のもつ時定数によって図１０（ｆ）に示すように徐々にクロック１に追随していく。よって読み出しクロック２が完全にクロック１に追随した後には、第一系統の信号のFIFOは書き込みクロックはクロック１、読み出しクロックはクロック１であり、第二系統の信号のFIFOは書き込みクロックはクロック２、読み出しクロックはクロック１となり両系統の読み出しクロックの共通化が図られたこととなる。なお、図１０においては読み出しクロックの共通化は遅延差調整完了後に行なったが遅延差調整を行なう前にクロック共通化しても良い。
【００６１】
その後、時刻T3において第一系統の信号が断絶すると図６のDATA_SEL２５が第一系統側から第二系統側にスイッチされ無瞬断で信号が第一系統から第二系統へと切り替わる。それに付随して伝送路クロックであるクロック１も断絶するので、そのことを検知して図６のSW５１２がクロック１を選択していた状態からクロック２を選択する状態へと替わる。同様に図６のCLK_SEL５３もクロック１側を選択していた状態からクロック２側を選択する状態へと替わる。よって読み出しクロック２は図１０に示すように時刻T3以降にクロック１からクロック２へと徐々に追随するようになる（図１０（ｇ））。なおこの状態において共通クロックも図１０（ｇ）に追随することとなる。
【００６２】
［第４の実施の形態］
本実施の形態においても、動的な遅延調整を行う。
【００６３】
図１１は、本発明の第４の実施の形態における無瞬断切替装置の構成例を示す。同図において、図1と同一構成部分には同一符号を付し、その説明を省略する。
【００６４】
本実施の形態では、共通クロック生成部で共通クロックを生成し、クロック制御がある場合を示す。また、ワンダは選択部２５内にあるFIFO（図示せず）で吸収する。
【００６５】
本実施の形態では、動的な遅延調整を行うために、にクロック調整部６０１，６０２とクロック生成部７０が設けられている。
【００６６】
伝送路１側のクロック調整部６０１は、CDR部２１１からのクロック１を受け取り、外部からのクロック制御情報に基づいてクロック１の周波数を制御して出力する。同様に伝送路２側のクロック調整部６０２は、CDR部２１２からのクロック２を受け取り、外部からのクロック制御情報に基づいてクロック２の周波数を制御して出力する。
【００６７】
クロック調整部６０１，６０２から出力されるクロックはそれぞれ、伝送路１側と伝送路２側のバッファ（FIFO）２２１，２２２の読み出しクロックとして使用される。また、クロック調整部６０１，６０２からの出力はクロック生成部７０に入力される。
【００６８】
クロック生成部７０は、共通クロックを出力し当該クロックは選択部２５などの動作に使用される。
【００６９】
図１２は、本発明の第４の実施の形態におけるクロック生成部の構成を示す。
【００７０】
クロック生成部７０は、クロックスイッチ部７１とPLL部７２から構成される。
【００７１】
クロックスイッチ部は２系統の信号が入力された場合は選択設定に従う。また、２系統の信号が入力されているときに、どちらかが断絶すると、選択していない方が断絶した場合はそのまま選択している方が断絶した場合はもう一方に切り替わる。
【００７２】
これにより、クロックスイッチ部７１でクロックが切り替えられた場合に位相や周波数の飛びなく一方のクロックから他方のクロックへと移行することができる。
【００７３】
なお、本発明は、上記の実施の形態に限定されることなく、特許請求の範囲内において種々変更・応用が可能である。
【符号の説明】
【００７４】
１０  分岐部
２１  ＣＤＲ部
２２  バッファ（FIFO）
２３  フレーム検出部
２４  遅延差検出部
２５  選択部
３０  共通クロック生成部
３１  クロックスイッチ部
３２  位相同期ループ部
４０  共通クロック生成部
５０  クロック生成部
５１  スイッチ
５２  クロック制御／ＰＬＬ部
５３  クロック選択部
５４  PLL（位相同期）部
７０  クロック生成部
７１  クロックスイッチ部
７２  位相同期ループ部
【図１】
0005610985.tif 000002
【図２】
0005610985.tif 000003
【図３】
0005610985.tif 000004
【図４】
0005610985.tif 000005
【図５】
0005610985.tif 000006
【図６】
0005610985.tif 000007
【図７】
0005610985.tif 000008
【図８】
0005610985.tif 000009
【図９】
0005610985.tif 000010
【図１０】
0005610985.tif 000011
【図１１】
0005610985.tif 000012
【図１２】
0005610985.tif 000013
【図１３】
0005610985.tif 000014